(57)【要約】      （修正有）【課題】製造コストが低く使い捨てとすることにより除菌作業を不要にできるとともに、顔全面を覆う面積で安定した装着状態を得ることができるフェイスシールドを提供する。【解決手段】薄肉で透明の合成樹脂製のフィルムで形成されるフェイスシールド１は、顔の両側面を覆う部分５Ａ、５Ｂと、顔の前面を覆う部分５Ｃとからなり、顔の両側面を覆う部分５Ａ、５Ｂにはマスク３の耳掛け紐３ｃを内側から通す紐通し用スリット７がマスク３のサイズの違いに対応して複数形成されている。顔の前面を覆う部分５Ｃの下方は名刺９等を取り付けるための情報表示部５Ｄとしてなり、情報表示部５Ｄは両側の切り込みライン１３によってシールド本体５と分離している。情報表示部５Ｄには名刺９を取り付けるための固定用スリット１１が複数形成されている。フェイスシールド１は、両側をそれぞれマスク３の上下２本の耳掛け紐３ｃで押え付けられることにより顔に安定に装着される。【選択図】図１
0003228413.tif 000002
【実用新案登録請求の範囲】
【請求項１】
合成樹脂製の可撓性を有する透明なシート材で形成され、マスクを装着した顔の前面及び両側面を覆う面積を有するシールド本体と、前記シールド本体の前記両側面を覆う部分にそれぞれ配置され、前記マスクの耳掛け紐を前記シールド本体の内側から通す上下方向に延びる紐通し用スリットとを備え、前記両側面を覆う部分がそれぞれ前記耳掛け紐で外側から押え付けられて、前記シールド本体が顔の前面と両側面を覆った状態に装着されることを特徴とするフェイスシールド。
【請求項２】
請求項１に記載したフェイスシールドにおいて、
前記シールド本体が矩形の形状を有し、前記シールド本体の前面を覆う部分の下部が、情報を表示するための情報表示部としてなることを特徴とするフェイスシールド。
【請求項３】
請求項２に記載したフェイスシールドにおいて、
前記情報表示部が、情報が表示された表示媒体の端部を挿入して固定するための複数の固定用スリットを有していることを特徴とするフェイスシールド。
【請求項４】
請求項２又は３に記載したフェイスシールドにおいて、
前記情報表示部の両側が、該情報表示部の下端から上端に亘って前記シールド本体と分離されていることを特徴とするフェイスシールド。
【請求項５】
請求項４に記載したフェイスシールドにおいて、
前記情報表示部の上端に、前記情報表示部を顔の前方へ突出させるための折り曲げ用筋が形成されていることを特徴とするフェイスシールド。
【請求項６】
請求項５に記載したフェイスシールドにおいて、
前記情報表示部の下端側の両側に、突出状態を保持するための突出状態保持片が形成され、前記両側面を覆う部分に前記突出状態保持片の端部を挿入して係止するための係止用スリットが設けられていることを特徴とするフェイスシールド。
【請求項７】
請求項４から６のいずれかに記載したフェイスシールドにおいて、
前記情報表示部の上端中央部に、前記マスクの鼻による隆起部を収容する開口部を有していることを特徴とするフェイスシールド。
【請求項８】
請求項１から７のいずれかに記載したフェイスシールドにおいて、
前記紐通し用スリットが前記両側面を覆う部分のそれぞれに、前記上下方向と直交する横方向に間隔をおいて複数設けられていることを特徴とするフェイスシールド。
【考案の詳細な説明】
【技術分野】
【０００１】
本考案は、医療現場やオフィス、展示会場、スーパーマーケット等の日常生活空間での使用に好適な飛沫感染対策用のフェイスシールドに関するものである。
【背景技術】
【０００２】
一般的なマスクは、不織布等によって構成されたマスク本体と、このマスク本体の幅方向の左右両端部に融着された耳掛け紐とからなり、マスク本体で口と鼻を覆うように装着される。耳掛け紐は、ワンタッチで耳部に引っ掛けられるようにゴム弾性を利用したループ状のものが広く使用されている。
医療現場では患者の状態や処置の状況によっては、血液や体液が飛散することがあり、この場合マスクだけでは不十分で眼を保護することができない。この観点から、従来、マスクと共に眼を保護するためのアイシールドやゴーグル等を使用することが行われている。
【０００３】
特許文献１には、可撓性を有する透明な薄肉の合成樹脂製のシートからなるアイシールドの両側下端部に紐挿入溝を形成し、この紐挿入溝にマスクの上側の耳掛け紐を内側から通し、アイシールドの下端部を上側の耳掛け紐で外側から押え付けて装着する構成が記載されている。
すなわち、アイシールド自体には顔への装着構成を設けずに、マスクの耳掛け紐に係合することにより下方への落下を防止するとともに、耳掛け紐の弾性力による押え付けにより顔にフィットした湾曲形状を維持する簡易構成となっている。
【０００４】
ところで、近時においては、世界的に流行している新型コロナウイルスによる飛沫感染を防止する観点から、マスクをした顔全体を覆う面積のフェイスシールドが広く普及している。この種のフェイスシールドは、例えば、厚肉の合成樹脂シートで顔の凸形状に沿うべく予め湾曲成形されており、例えば、頭部に装着するバンドに固定される使用形態となっている。
このようなフェイスシールドは再利用を想定して作製されており、病原体（ウイルスや菌の概念を含む）の付着によって汚染された使用済みのものはその都度病原体を除去する作業（以下、除菌作業と略す）が必要となる。
【先行技術文献】
【特許文献】
【０００５】
【特許文献１】実用新案登録第３１６００３９号公報
【考案の概要】
【考案が解決しようとする課題】
【０００６】
特許文献１に記載のアイシールドは、上側の１本の耳掛け紐で押えて固定する構成であるため装着状態の安定性が低く、装着者の動きの程度によっては外れ易いという懸念を否めなかった。
予め湾曲成形された顔全面対応型のフェイスシールドは、再利用を前提としているが故に使用の都度除菌作業が必要で極めて面倒であり、形状的嵩張りによって保管スペースも増大することを避けられなかった。
【０００７】
新型コロナウイルスによる感染症の収束の目処は立っておらず、ウイルスとの長期的な共存の可能性が予想されており、その場合、医療現場だけでなく、オフィスや日常の生活空間においても同様の飛沫感染対策が恒久的に続く可能性が高い。
このような新しい生活様式における飛沫感染対策を考えた場合、装着安定性が良いことは勿論のこと、一般的なマスクと同様にフェイスシールドも廉価で使い捨てにできる使用形態が強く望まれる。
【０００８】
本考案は上記従来の問題点に着目して為されたものであり、製造コストが低く使い捨てとすることにより除菌作業を不要にできるとともに、顔全面を覆う面積で安定した装着状態を得ることができるフェイスシールドの提供を、その目的とする。
【課題を解決するための手段】
【０００９】
本考案は、上記目的を達成するために為されたものであり、請求項１の考案は、合成樹脂製の可撓性を有する透明なシート材で形成され、マスクを装着した顔の前面及び両側面を覆う面積を有するシールド本体と、前記シールド本体の前記両側面を覆う部分にそれぞれ配置され、前記マスクの耳掛け紐を前記シールド本体の内側から通す上下方向に延びる紐通し用スリットとを備え、前記両側面を覆う部分がそれぞれ前記耳掛け紐で外側から押え付けられて、前記シールド本体が顔の前面と両側面を覆った状態に装着されることを特徴とするフェイスシールドである。
【００１０】
請求項２の考案は、請求項１に記載したフェイスシールドにおいて、前記シールド本体が矩形の形状を有し、前記シールド本体の前面を覆う部分の下部が、情報を表示するための情報表示部としてなることを特徴とするフェイスシールドである。
【００１１】
請求項３の考案は、請求項２に記載したフェイスシールドにおいて、前記情報表示部が、情報が表示された表示媒体の端部を挿入して固定するための複数の固定用スリットを有していることを特徴とするフェイスシールドである。
【００１２】
請求項４の考案は、請求項２又は３に記載したフェイスシールドにおいて、前記情報表示部の両側が、該情報表示部の下端から上端に亘って前記シールド本体と分離されていることを特徴とするフェイスシールドである。
【００１３】
請求項５の考案は、請求項４に記載したフェイスシールドにおいて、前記情報表示部の上端に、前記情報表示部を顔の前方へ突出させるための折り曲げ用筋が形成されていることを特徴とするフェイスシールドである。
【００１４】
請求項６の考案は、請求項５に記載したフェイスシールドにおいて、前記情報表示部の下端側の両側に、突出状態を保持するための突出状態保持片が形成され、前記両側面を覆う部分に前記突出状態保持片の端部を挿入して係止するための係止用スリットが設けられていることを特徴とするフェイスシールドである。
【００１５】
請求項７の考案は、請求項４から６のいずれかに記載したフェイスシールドにおいて、前記情報表示部の上端中央部に、前記マスクの鼻による隆起部を収容する開口部を有していることを特徴とするフェイスシールドである。
【００１６】
請求項８の考案は、請求項１から７のいずれかに記載したフェイスシールドにおいて、前記紐通し用スリットが前記両側面を覆う部分のそれぞれに、前記上下方向と直交する横方向に間隔をおいて複数設けられていることを特徴とするフェイスシールドである。
【考案の効果】
【００１７】
本考案によれば、製造コストが低く使い捨てとすることにより除菌作業を不要にできるとともに、顔全面を覆う面積で安定した装着状態を得ることができるフェイスシールドを提供することができる。
【図面の簡単な説明】
【００１８】
【図１】本考案の実施の形態に係るフェイスシールドの使用前の状態を示す斜視図である。
【図２】図１で示したフェイスシールドの正面図である。
【図３】図１で示したフェイスシールドの情報表示部を突出させた状態を示す斜視図である。
【図４】図１で示したフェイスシールドを顔に装着した状態を示す正面図である。
【図５】図１で示したフェイスシールドを顔に装着した状態を示す一部省略の斜視図である。
【図６】他の実施の形態に係るフェイスシールドの使用前の状態を示す斜視図である。
【図７】図６で示したフェイスシールドの情報表示部を突出させた状態を示す斜視図である。
【図８】図６で示したフェイスシールドを顔に装着した状態を示す一部省略の斜視図である。
【考案を実施するための形態】
【００１９】
以下、本考案の実施の形態について図を参照して説明する。
図１は、本実施の形態に係るフェイスシールド１をマスク３との位置関係で示している。矢印Ｆ方向が顔の位置する側を示しており、フェイスシールド１はマスク３の外側に顔全体を覆うように配置される。
マスク３は不織布による多層構造で、口と鼻を覆う面積のマスク本体３ａと、マスク本体３ａの両端部に融着部３ｂを介して取り付けられた、ゴム弾性による伸縮自在なループ状の耳掛け紐３ｃとを備えている。
【００２０】
フェイスシールド１は、マスク３を装着した顔の前面及び両側面を覆う面積を有する矩形の形状で且つ可撓性を有するシールド本体５と、シールド本体５における主に顔の両側面を覆う部分５Ａ、５Ｂにそれぞれ配置され、マスク３の耳掛け紐３ｃをシールド本体５の内側から通される上下方向に延びる紐通し用スリット７とを備え、顔の両側面を覆う部分５Ａ、５Ｂがそれぞれ上下２本の耳掛け紐３ｃで外側から押え付けられることによって顔に装着される。
顔の両側面を覆う部分５Ａ、５Ｂにはそれぞれ、マスク３のサイズの変化に対応するために、顔の上下方向と直交する横方向に間隔をおいて複数（ここでは４つ）の紐通し用スリット７が設けられている。各紐通し用スリット７の上下端部には、耳掛け紐３ｃを位置決めするための円弧状の係止部７ａが連続して形成されている。顔の両側面を覆う部分５Ａ、５Ｂにおいて紐通し用スリット７の係止部７ａの向きは逆となっている。
【００２１】
この例では、普通サイズのマスク３の耳掛け紐３ｃはそれぞれ、横方向外側から２番目の紐通し用スリット７にシールド本体５の内側から通されている。
この例におけるマスク３よりもマスク本体３ａのサイズが小さいマスクの場合には、耳掛け紐３ｃはより内側に位置する紐通し用スリット７に通される。
【００２２】
シールド本体５は未使用の状態では矩形の平面形状を有し、主に顔の前面を覆う部分５Ｃの下部は、フェイスシールド装着者に関係する情報を表示するための情報表示部５Ｄとしてなる。フェイスシールド装着者に関係する情報とは、装着者自身の情報、装着者が所属する企業や組織の情報、企業や組織が取り扱っている商品や広告の情報等を意味する。
情報表示部５Ｄにおける表示形態としては、表示内容が記載された名刺等の表示媒体の取り付け、情報が記載されたシールの貼り付け、ＱＲコード（登録商標）の表示、ロゴマークや商標の表示、色彩又は文字による公告表示等がある。ここでは表示媒体として名刺９を例示する。
情報表示部５Ｄは、名刺９の端部（４つの角部）を挿入して固定するための複数（ここでは４つ）の固定用スリット１１を有している。名刺９は、４つの角部を対応する固定用スリット１１に差し込むことにより、情報表示部５Ｄに取り外し可能に固定される。
シールド本体５は透明であるため、名刺９の固定は情報表示部５Ｄの表裏のいずれからでもよい。
【００２３】
情報表示部５Ｄの両側は、切り込みライン１３によって下端から上端に亘ってシールド本体５と分離されている。また、情報表示部５Ｄの上端には情報表示部５Ｄを顔の前方へ突出させるための折り曲げ用筋１５ａ、１５ｂが横方向に沿って設けられており、上端中央部にはマスク３の鼻による隆起部を収容する開口部１７が形成されている。
切り込みライン１３の形成は、シールド本体５の厚み方向に完全に貫通してライン形成と同時にシールド本体５と分離する場合の他、完全に貫通しない筋を形成し、後から引き裂いて分離する場合を含む。
【００２４】
図２は、フェイスシールド１の使用前の状態を示している。シールド本体５は使用前においては矩形の平面形状を有しており、この状態でマスク３が耳掛け紐３ｃを紐通し用スリット７に通してセットされるとともに、情報表示部５Ｄの例えば表側に名刺９がセットされる。
これらのセットが完了した状態でマスク３を装着すると、シールド本体５はその柔軟性によって顔の凸形状に沿って湾曲し、マスク３と共に顔に装着される。
本実施の形態におけるフェイスシールド１のサイズは、幅Ｗが２７０ｍｍ、高さＨが２３０ｍｍである。フェイスシールド１のサイズは、顔の表面積の大きさによって変化する。
【００２５】
情報表示部５Ｄは切り込みライン１３によってシールド本体５と分離され、且つ、上端に横方向に略平行に延びる折り曲げ用筋１５ａ、１５ｂが設けられているので、図３に示すように、シールド本体５全体が顔の凸形状に沿って湾曲しても、折り曲げ用筋１５ａ、１５ｂで区画される部分をフラップ状に起こしてシールド本体５の前方（顔の前方）へ寸法ｔ分突出させることが可能である。
このため、情報表示部５Ｄはシールド本体５の変形影響をあまり受けず、本来の目的である、相手（対面者や聴衆）に対する情報表示機能を良好に維持することができる。
【００２６】
図４は、マスク３と共にフェイスシールド１を顔に装着した状態を示している。フェイスシールド１によって両眼を含む顔の上部においても飛沫感染を防止することができる。
情報表示部５Ｄに取り付けられた名刺９は、切り込みライン１３と開口部１７との協働による湾曲抑制機能によって、殆ど湾曲することなく対面する相手に対して正対する。このため、医療現場では患者が医療従事者の氏名や所属部門、肩書等の情報を容易且つ正確に得ることができる。
【００２７】
オフィスにおける打ち合わせや会議等においても、フェイスシールド１を装着した飛沫感染対策の環境下、同様に相手の情報を容易且つ正確に得ることができる。名刺交換後に相手の名前を忘れて名刺を見直す等の煩わしさも不要となる。
展示会場等での商品説明を行う場合等においても、来場者に常に名刺を視認させることができるので、名前を覚えてもらう効果が高くなる。
【００２８】
図５に示すように、シールド本体５は、顔の両側面を覆う部分５Ａ、５Ｂそれぞれにおいて、上下２本の耳掛け紐３ｃで外側から押え付けられるので、上下方向のずれが防止されるとともに、顔に対して面で押圧されることとなり、装着状態が安定する。
また、シールド本体５と顔との間が密閉的であると吐息によってシールド本体５の内面に結露が生じて曇り易くなるが、情報表示部５Ｄが分離して突出することにより情報表示部５Ｄの両側及び下側に外気と連通する通気用隙間３５が形成され、曇りが抑制される。これにより、シールド本体５の防曇処理や曇り止め剤の塗布が不要となる。
また、通気用隙間３５の存在によって息苦しさも緩和される。
【００２９】
このように、本考案に係るフェイスシールド１は、飛沫感染対策としてのフェイスシールド本来の機能が得られるとともに、対面相手や聴衆に装着者側の情報を表示・伝達する付加機能を有し、さらには曇り止め機能や息苦しさ緩和機能をも有している。
【００３０】
フェイスシールド１は、熱可塑性又は熱硬化性のシート（フィルムの概念を含む）から形成されるのが好ましく、材質としては例えばポリプロピレン（ＰＰ）やポリエチレンテレフタレート（ＰＥＴ）等が望ましい。また、顔の輪郭に沿って容易に変形（湾曲）する可撓性を有し、その一方で湾曲形状を崩すことなく維持できる堅さ（剛性）を有している。
この観点から、フェイスシールド１の厚みとしては、例えば０．３〜０．０５ｍｍの範囲を採用でき、０．１ｍｍ程度がさらに望ましい。このように薄肉であるため、各図ではフェイスシールド１の厚みを省略している。
フェイスシールド１は、平板状の薄肉シートを型によって打ち抜く等の方法により、容易且つ高速に量産することができ、低コスト化（使い捨て化）を実現できる。
また、使用前は平面形状であるため、多数枚の積層化が可能であり、保管においても省スペース化が可能となる。
従来のように、頭部に装着するバンドに固定する方式（２種部材結合構成）ではなく、マスクを利用した単一部材構成であるため、使用性、利便性の向上にも資する。
【００３１】
図６乃至図８を参照して、他の実施の形態を説明する。なお、上記の実施の形態（第１の実施の形態）と同一部分（同等と見做せる部分を含む）は同一符号を付して表示し、既にした構成上及び機能上の説明は適宜省略する。
【００３２】
図６は、本実施の形態（第２の実施の形態）に係るフェイスシールド２１の使用前の状態を示している。なお、マスク３は第１の実施の形態と同様にセットされるが本実施の形態では省略している。
フェイスシールド２１のサイズは、幅Ｗが第１の実施の形態と同じで２７０ｍｍ、高さＨはやや短くて２１０ｍｍである。材質や厚みも第１の実施の形態と同様である。
【００３３】
情報表示部５Ｄの下端側の両側には、情報表示部５Ｄの突出状態を保持するための突出状態保持片２３が横方向に延びる状態に連設されている。各突出状態保持片２３は、切り込みライン１３の下端を顔の両側面を覆う部分５Ａ、５Ｂに延ばすことによって形成されている。すなわち、各突出状態保持片２３は、顔の両側面を覆う部分５Ａ、５Ｂの面積の一部を利用して形成されている。
各突出状態保持片２３の先端部には、上下方向の幅を若干大きくした（段差を有する）係止部２３ａが形成されており、これに対応して顔の両側面を覆う部分５Ａ、５Ｂには係止部２３ａを挿入して係止するための係止用スリット２５が設けられている。係止部２３ａを係止用スリット２５に挿入すると段差で引っ掛かり、抜け止めされる。
【００３４】
切り込みライン１３の上端側には、半円状の穴２７が開けられている。切り込みライン１３を筋状に入れて情報表示部５Ｄを分離する（引き裂く）と、シールド本体５が薄肉ということもあって上端側が所定の寸法以上に引き裂かれる場合があり、これを確実に防止するために穴２７が設けられている。
第１の実施の形態においても同様の理由により穴２７を設けることができる。
【００３５】
折り曲げ用筋１５ａ、１５ｂによって略水平に起こされるフラップ部位２９には、曇りを防止するための通気孔３１が複数設けられている。
また、情報表示部５Ｄは、表示媒体の端部を挿入して固定するための２つの固定用スリット３３を有している。第１の実施の形態における固定用スリット１１は名刺９の角部を挿入する配置形態であったが、本実施の形態における固定用スリット３３は上下方向に平行に延びる形状を有し、名刺９の両端部を上下方向全体に亘って挿入するようになっている。
固定用スリット３３の上下端には、名刺９等の表示媒体の挿入時に端部が裂けないように、紐通し用スリット７と同様、円弧状の係止部が連続して形成されている。
【００３６】
図７及び図８は、折り曲げ用筋１５ａ、１５ｂを介してフラップ部位２９を起こし、両側の突出状態保持片２３で情報表示部５Ｄを顔の前方に突出させて保持した状態を示している。
突出状態保持片２３で保持されているので、情報表示部５Ｄがランダムに変形するのが防止され、対面者に対して常に正対する。また、情報表示部５Ｄが常に突出した状態に維持されることにより、情報表示部５Ｄの両側及び下側に通気用隙間３５が形成される。これによりフェイスシールド２１内への通気が促され、フェイスシールド２１の曇りが防止されるとともに、息苦しさも緩和される。これらの効果は、通気孔３１の存在とも相まって一層高められる。
【００３７】
第１の実施の形態で説明した機能、効果は、第２の実施の形態においても同様に得ることができる。
【００３８】
以上、本考案の実施の形態について詳述してきたが、具体的構成は、上記の各実施の形態に限定されるものではなく、本考案の趣旨を逸脱しない範囲における設計の変更があっても考案に含まれる。
例えば、上記の各実施の形態では情報表示部５Ｄをシールド本体５から分離した構成としたが、分離しない構成としてもよい。情報表示部５Ｄが多少湾曲しても表示機能は得られる。
また、紐通し用スリット７はマスク３のサイズに拘わらず、シールド本体５の外寄りに１つ設ける構成としてもよい。
シールド本体５のサイズや材質、厚みも上記に限定されない。
また、上記では表示媒体として名刺を例示したが、商品広告や会社のロゴ、あるいは色彩等を表示するものであってもよい。
【符号の説明】
【００３９】
１、２１…フェイスシールド      ３…マスク                ３ｃ…耳掛け紐
５…シールド本体                ５Ａ、５Ｂ…顔の両側面を覆う部分
５Ｃ…顔の前面を覆う部分        ５Ｄ…情報表示部          ７…紐通し用スリット
９…表示媒体としての名刺      １１、３３…固定用スリット
１５ａ、１５ｂ…折り曲げ用筋    １７…開口部              ２３…突出状態保持片
２５…係止用スリット
【図１】
0003228413.tif 000003
【図２】
0003228413.tif 000004
【図３】
0003228413.tif 000005
【図４】
0003228413.tif 000006
【図５】
0003228413.tif 000007
【図６】
0003228413.tif 000008
【図７】
0003228413.tif 000009
【図８】
0003228413.tif 000010